(57)【要約】      （修正有）【課題】カメラを適切に保持しつつ、写真撮影時における使用者のハンドリングの自由度を高めることが可能であると共に、写真撮影時以外の他の作業を行っている場合であっても緊急時の撮影に対応可能である、カメラ装着具を提供する。【解決手段】使用者にカメラＣを装着可能とするカメラ装着具１であって、カメラＣを取り付けるカメラ取付部３０と、カメラ取付部３０が固着された台座部１０と、台座部１０に設けられたベルト部２０とを備える。また、カメラ取付部３０が、台座部１０に固着された台座接続部と、台座接続部と回動可能に設けられた回動部と、回動部の回動状態を調整する回動調整部とを有する。ベルト部２０には、対となる面ファスナー部が設けられており、対となる面ファスナー部は、ベルト部２０を台座部１０に挿通させた状態で使用者の身体の一部に巻回させた後、それぞれ面着係合可能となる位置に設けられている。【選択図】図１
0003175556.tif 000002
【実用新案登録請求の範囲】
【請求項１】
使用者の身体の一部にカメラを装着可能とするカメラ装着具であって、
前記カメラを固定して取り付けるカメラ取付部と、前記カメラ取付部が固着された台座部と、前記台座部に設けられたベルト部とを備え、
前記カメラ取付部が、前記台座部に固着された台座接続部と、前記台座接続部と回動可能に設けられた回動部と、前記台座接続部に対する前記回動部の回動状態を調整する回動調整部とを有し、
前記ベルト部には、対となる面ファスナー部が設けられており、前記対となる面ファスナー部は、前記ベルト部を前記台座部に挿通させた状態で前記使用者の身体の一部に巻回させた後、それぞれ面着係合可能となる位置に設けられている
ことを特徴とするカメラ装着具。
【請求項２】
使用者の身体の一部にカメラを装着可能とするカメラ装着具であって、
前記カメラを固定して取り付けるカメラ取付部と、前記カメラ取付部が固着された台座部と、前記台座部に設けられたベルト部とを備え、
前記カメラ取付部が、前記台座部に固着された台座接続部と、前記台座接続部と回動可能に設けられた回動部と、前記台座接続部に対する前記回動部の回動状態を調整する回動調整部とを有し、
前記ベルト部には、対となる面ファスナー部が設けられており、前記対となる面ファスナー部は、前記ベルト部を前記台座部に挿通させた状態で前記使用者の身体の一部に巻回させた後、それぞれ面着係合可能となる位置に設けられており、前記ベルト部の端部の表面側および裏面側に設けられた前記面ファスナー部が、それぞれ対となる前記面ファスナー部によって挟持された状態で面着係合される
ことを特徴とするカメラ装着具。
【考案の詳細な説明】
【技術分野】
【０００１】
本考案は、カメラ装着具に関するものである。より具体的には、使用者自身の手首や太腿等の様々な箇所に装着可能であって、使用者のハンドリングの自由度を高めることができる、カメラ装着具に関するものである。
【背景技術】
【０００２】
従来、通常のカメラやビデオカメラ（以下、単に「カメラ」という。）は、使用者の両手あるいは片手を用いて操作を行うため、カメラ自身にバンドや把持部等（以下「把持部等」という。）が設けられている。そして、この把持部等を使用者が把持した状態で、カメラのファインダーを覗いて、写真撮影等が行われる。
【０００３】
すなわち、写真撮影時には、少なくとも使用者の片手は、カメラの把持部等を把持するために使用されるため、その自由度が失われる。
【０００４】
写真の撮影現場は、スタジオや街中のみではない。写真の撮影現場は、海中、山岳地帯、戦場等、厳しい環境の中である場合も多々あるため、使用者の手がカメラの保持（把持）のために塞がれていることは、好ましくない。
【０００５】
また、撮影の合間には、写真撮影以外の他の作業（他の装置の準備や操作、パソコン操作、メモ作業等）を行わなければならない場合もある。そのような場合、カメラを一度手から離し、使用者の周囲に置くか、使用者の首あるいは肩等に掛けて、他の作業にあたることとなる。つまり、このように他の作業を行う場合には、カメラが使用者の手から離れた状態となるため、緊急時の撮影に対応できない。
【０００６】
ところで、カメラ等を保持する技術として、特許文献１に示すカメラ等の保持具が開示されている。
【先行技術文献】
【特許文献】
【０００７】
【特許文献１】実開平７−３６１５０号公報
【考案の概要】
【考案が解決しようとする課題】
【０００８】
上述したように、従来技術にかかるカメラを使用する場合、少なくとも使用者の片手は、カメラの把持部等を把持するため、その自由度が失われるという問題がある。
【０００９】
また、従来技術にかかるカメラを使用する場合、写真撮影以外の他の作業を行うときの作業性が悪く、緊急時の撮影に対応できないという問題がある。
【００１０】
さらに、特許文献１には、ベルトにてカメラを保持する技術が開示されているが、カメラ保持の確実性や写真撮影時のカメラの操作性等、種々の点で問題がある。
【００１１】
そこで、本考案は、上記従来技術の問題を解決するためになされたものであって、カメラを適切に保持しつつ、カメラの操作性および写真撮影時における使用者のハンドリングの自由度を高めることが可能であると共に、写真撮影の合間あるいは写真撮影時以外の他の作業を行っている場合であっても緊急時の撮影に対応可能である、カメラ装着具を提供することを課題とする。
【課題を解決するための手段】
【００１２】
本考案の第一態様にかかるカメラ装着具は、上記課題を解決するためになされたものであり、使用者の身体の一部にカメラを装着可能とするカメラ装着具であって、前記カメラを固定して取り付けるカメラ取付部と、前記カメラ取付部が固着された台座部と、前記台座部に設けられたベルト部とを備え、前記カメラ取付部が、前記台座部に固着された台座接続部と、前記台座接続部と回動可能に設けられた回動部と、前記台座接続部に対する前記回動部の回動状態を調整する回動調整部とを有し、前記ベルト部には、対となる面ファスナー部が設けられており、前記対となる面ファスナー部は、前記ベルト部を前記台座部に挿通させた状態で前記使用者の身体の一部に巻回させた後、それぞれ面着係合可能となる位置に設けられていることを特徴としている。
【００１３】
このように構成されたカメラ装着具によれば、カメラやビデオカメラを前記カメラ取付部に取り付けた状態で、前記台座部および前記ベルト部を介して（前記ベルト部を巻回させて）、前記使用者の身体の一部にカメラを装着することが可能であるため、前記使用者の両手を使用することなくカメラを適切に保持し、前記使用者のハンドリングの自由度を高めることができる。
【００１４】
また、このように構成されたカメラ装着具によれば、前記カメラ取付部が、前記台座部に固着された台座接続部と、前記台座接続部と回動可能に設けられた回動部と、前記台座接続部に対する前記回動部の回動状態を調整する回動調整部とを有するため、カメラを取り付けた前記カメラ装着具を使用者が装着した後、前記使用者のハンドリングの自由度を高めた状態で、前記カメラの撮影角度等を任意に調整することができる。
さらに、前記回動部を回動させることによって、使用者の身体に沿うような位置にカメラ位置を調整可能であるため、他の作業等を行う際にカメラが邪魔にならない。
また、前記回動調整部は、例えば、ねじ部（後述する「調整ねじ部」）を有する構成であることが好ましい。この好ましい構成によれば、前記回動調整部を成すねじ部の締め具合によって、カメラの固定状態（保持状態）を任意に調整することができる。つまり、例えば、カメラを装着した状態で、水泳等を行う必要がある場合には、前記ねじ部をしっかりと締め付けることによって、カメラをしっかりと固定することができる。
【００１５】
また、このように構成されたカメラ装着具によれば、前記ベルト部には、対となる面ファスナー部が設けられており、これらの対に設けられた前記面ファスナー部は、前記ベルト部を前記台座部に挿通させた状態で前記使用者の身体の一部に巻回させた後、それぞれ接合可能となる位置に設けられているため、前記使用者のハンドリングの自由度を高めた状態で、前記カメラ装着具を前記使用者の身体の一部に適切に保持することができる。
【００１６】
また、本考案の第二態様にかかるカメラ装着具は、上記課題を解決するためになされたものであり、使用者の身体の一部にカメラを装着可能とするカメラ装着具であって、前記カメラを固定して取り付けるカメラ取付部と、前記カメラ取付部が固着された台座部と、前記台座部に設けられたベルト部とを備え、前記カメラ取付部が、前記台座部に固着された台座接続部と、前記台座接続部と回動可能に設けられた回動部と、前記台座接続部に対する前記回動部の回動状態を調整する回動調整部とを有し、前記ベルト部には、対となる面ファスナー部が設けられており、前記対となる面ファスナー部は、前記ベルト部を前記台座部に挿通させた状態で前記使用者の身体の一部に巻回させた後、それぞれ接合可能となる位置に設けられており、前記ベルト部の端部の表面側および裏面側に設けられた前記面ファスナー部が、それぞれ対となる前記面ファスナー部によって挟持された状態で面着係合されることを特徴としている。
【００１７】
このように構成されたカメラ装着具によれば、上述した第一態様にかかるカメラ装着具と同様の作用効果を得ることができる。加えて、前記ベルト部の端部の表面側および裏面側に設けられた前記面ファスナー部が、それぞれ対となる前記面ファスナー部によって挟持された状態で面着係合される構成を有するため、より強固に前記面ファスナー部の面着係合状態を維持し、カメラ装着具をより適切に使用者の身体の一部に保持・固定することができる。
【考案の効果】
【００１８】
本考案によれば、カメラを適切に保持しつつ、カメラの操作性および写真撮影時における使用者のハンドリングの自由度を高めることが可能であると共に、写真撮影の合間あるいは写真撮影時以外の他の作業を行っている場合であっても緊急時の撮影に対応可能である、カメラ装着具を得ることができる。
【図面の簡単な説明】
【００１９】
【図１】本考案の第一実施形態にかかるカメラ装着具を手首に装着した状態（使用状態）の概略斜視図を示したものである。
【図２】本考案の第一実施形態にかかるカメラ装着具の概略斜視図を示したものである。
【図３】本考案の第一実施形態にかかるカメラ装着具を手首に装着する際の装着手順を示す概略斜視図である。
【図４】本考案の第一実施形態にかかるカメラ装着具の装着手順を示す概略側面図である。
【図５】本考案の第一実施形態にかかるカメラ装着具を手首に装着した状態（使用状態）の種々の使用態様の概略斜視図を示したものであって、図５（ａ）はカメラを起こした状態（撮影時基本状態）の概略斜視図（図１と同様）を示し、図５（ｂ）は回動部を回動させてカメラを使用者の腕側に沿わせた状態（収納時基本状態）の概略斜視図を示し、図５（ｃ）は回動部を回動させてカメラを図５（ｂ）の状態から４５度程度起こした状態の概略斜視図を示し、図５（ｄ）はカメラ本体を回動させてカメラを横に向けた状態を示している。
【図６】本考案の他の実施形態にかかるカメラ装着具を装着した状態（使用状態）の概略図を示したものであって、図６（ａ）は第二実施形態にかかるカメラ装着具を腰に装着した状態の概略図を示し、図６（ｂ）は第三実施形態にかかるカメラ装着具を太腿に装着した状態の概略図を示している。
【考案を実施するための形態】
【００２０】
以下、図面に基づいて、本考案の実施形態を説明する。
【００２１】
＜第一実施形態＞
図１は、本考案の第一実施形態にかかるカメラ装着具１を手首Ｔに装着した状態（使用状態）の概略斜視図を示したものである。また、図２は、本実施形態にかかるカメラ装着具１の概略斜視図を示したものである。さらに、図３は、本実施形態にかかるカメラ装着具１を手首Ｔに装着する際の装着手順を示す概略斜視図である。また、図４は、本実施形態にかかるカメラ装着具１の装着手順を示す概略側面図である。さらに、図５は、本実施形態にかかるカメラ装着具１を手首Ｔに装着した状態（使用状態）の種々の使用態様の概略斜視図を示したものであって、図５（ａ）はカメラＣを起こした状態（撮影時基本状態）の概略斜視図（図１と同様）を示し、図５（ｂ）は回動部を回動させてカメラＣを使用者の腕側に沿わせた状態（収納時基本状態）の概略斜視図を示し、図５（ｃ）は回動部を回動させてカメラＣを図５（ｂ）の状態から４５度程度起こした状態の概略斜視図を示し、図５（ｄ）はカメラ本体を回動させてカメラＣを横に向けた状態を示している。
【００２２】
図１および図２等に示すように、本実施形態にかかるカメラ装着具１は、台座部１０、ベルト部２０、カメラ取付部３０、リング部４１、および落下防止紐部５０を用いて構成されている。
【００２３】
本実施形態にかかるカメラ装着具１を成す台座部１０は、使用者の身体の一部（本実施形態においては手首Ｔ）に沿うようにわずかに湾曲状に形成された板状の部材である。この台座部１０には、ベルト部２０を挿通させるために、第一開口部１１および第二開口部１２が設けられている。また、この台座部１０には、カメラＣの落下を防止するために設けられた落下防止紐部５０を取り付けるために、第三開口部１３が設けられている。
【００２４】
この台座部１０は、例えば、有機ガラス（ポリカーボネイト、アクリル樹脂等）、エポキシ樹脂等を用いて構成されている。
【００２５】
本実施形態にかかるカメラ装着具１を成すベルト部２０は、図２等に示すように、ベルト本体部２１と、このベルト本体部２１に設けられた第一面ファスナー部２２、第二面ファスナー部２３、面ファスナーカバー部２５、第三面ファスナー部２６、および第四面ファスナー部２７とを用いて構成されている。
【００２６】
より具体的には、図２に示すように、ベルト部２０は、ベルト本体部２１を台座部１０の第一開口部１１および第二開口部１２に挿通させた状態で、ベルト本体部２１の一方端部２１ａにリング部４１が設けられている。また、ベルト本体部２１の他方端部２１ｂの表面側（図２における表面側、以下、単に「表面側」という。）に第一面ファスナー部２２が設けられ、裏面側（図２における裏面側、以下、単に「裏面側」という。）に第二面ファスナー部２３が設けられている。さらに、図２に示すように、ベルト本体部２１の表面側には、第三面ファスナー部２６が設けられ、この第三面ファスナー部２６の上方位置には面ファスナーカバー部２５が設けられており、面ファスナーカバー部２５の内面側には第四面ファスナー部２７が設けられている。
【００２７】
ベルト部２０は、ベルト本体部２１を使用者の身体の一部（手首Ｔ）に巻回させた状態で、一方端部２１ａに設けられたリング部４１に、ベルト本体部２１の他方端部２１ｂを挿通させて折り返し、第一面ファスナー部２２と第三面ファスナー部２６とが面着し、第二面ファスナー部２３と第四面ファスナー部２７とが面着すべく構成されている。
【００２８】
すなわち、第一面ファスナー部２２および第三面ファスナー部２６のいずれか一方が面ファスナーのループ部として機能し、他方がこのループ部と対となるフック部として機能する。同様に、第二面ファスナー部２３および第四面ファスナー部２７のいずれか一方が面ファスナーのループ部として機能し、他方がこのループ部と対となるフック部として機能する。
【００２９】
このベルト部２０は、例えば、ポリプロピレン、合成ゴム等を用いて構成されている。
【００３０】
本実施形態にかかるカメラ装着具１を成すカメラ取付部３０は、図２等に示すように、台座接続部３１、回動部３２、回動調整部３３、およびスペーサ３４を用いて構成されている。
【００３１】
台座接続部３１は、台座部１０の表面側（図２における表面側）に固着された接続本体部３１Ａ、およびこの接続本体部３１Ａと一体的に形成された回動係合部３１Ｂを用いて構成されている。回動部３２は、回動係合部３１Ｂに対して回動可能な状態で係合される回動本体部３２Ａ、およびこの回動本体部３２Ａと一体的に形成された取付ねじ部３２Ｂを用いて構成されている。回動調整部３３は、調整つまみ部３３Ａ、およびこの調整つまみ部３３Ａと一体的に形成された調整ねじ部３３Ｂを用いて構成されている。
【００３２】
本実施形態にかかる台座接続部３１においては、接続本体部３１Ａが台座部１０の表面側に固着され、回動係合部３１Ｂに対して回動可能に回動本体部３２Ａが係合され、回動係合部３１Ｂと回動本体部３２Ａとの回動角度や固定状態を調整するために、回動係合部３１Ｂと回動本体部３２Ａとが調整ねじ部３３Ｂによって螺合されている。回動調整部３３を成す調整ねじ部３３Ｂは、調整つまみ部３３Ａを回動させることによって螺合状態を制御し、回動係合部３１Ｂと回動本体部３２Ａとの回動角度や固定状態が調整される。
【００３３】
回動部３２を成す取付ねじ部３２Ｂは、カメラＣの底面部に設けられた雌ねじ部（図示省略）と螺合させるべく構成されており、この取付ねじ部３２ＢとカメラＣ（の雌ねじ部）との螺合状態は、スペーサ３４によって調整される。つまり、本実施形態においては、スペーサ３４の厚みや枚数等によって、カメラＣの種類や、回動部３２とカメラＣとの固定状態を制御して対応することができる。
【００３４】
この台座接続部３１および回動部３２は、例えば、ステンレス、チタン合金等を用いて構成されている。また、回動調整部３３は、例えば、ステンレス、チタン合金等を用いて構成されている。さらに、スペーサ３４は、例えば、合成ゴム、アクリル樹脂等を用いて構成されている。
【００３５】
本実施形態にかかるカメラ装着具１を成す落下防止紐部５０は、図２等に示すように、紐本体部５１、台座側紐部５２、およびカメラ側紐部５３を用いて構成されている。本実施形態において、台座側紐部５２は、台座部１０の第三開口部１３に取り付けられ、カメラ側紐部５３は、カメラＣの側面等に設けられた開口部や取付孔部（図示省略）に取り付けられる。つまり、本実施形態において、カメラＣは、上述した取付ねじ部３２Ｂに螺合して取り付けられると共に、落下防止紐部５０を介して台座部１０に連結されることとなる。
【００３６】
この落下防止紐部５０を成す紐本体部５１は、例えば、ウレタン、ワイヤー、ポリアミド系樹脂（特に、芳香族骨格のみで構成されるポリアミド（アラミド））、ナイロンライン等を用いて構成されている。また、この落下防止紐部５０を成す台座側紐部５２およびカメラ側紐部５３は、例えば、ウレタン、ワイヤー、ポリアミド系樹脂（特に、芳香族骨格のみで構成されるポリアミド（アラミド））、ナイロンライン等を用いて構成されている。
【００３７】
本実施形態にかかるカメラ装着具１は、以上のように構成されている。そして、その構成に基づき、次のような作用効果を有する。以下、図面に基づき、本実施形態にかかるカメラ装着具１の使用方法およびその作用効果等を説明する。
【００３８】
まずは、図３および図４を用いて、カメラ装着具１を手首Ｔに装着する際の装着手順について説明する。ここで、図３は、上述したように、本実施形態にかかるカメラ装着具１を手首Ｔに装着する際の装着手順を示す概略斜視図であり、図４は、本実施形態にかかるカメラ装着具１の装着手順を示す概略側面図である。なお、図４においては、図面の煩雑化を避けるために、台座部１０、ベルト部２０、およびリング部４１以外の構成要素については、その記載を省略している。
【００３９】
図３（ａ）および図４（ａ）に示すように、本実施形態にかかるカメラ装着具１を使用者の手首Ｔに装着する際には、台座部１０の裏面を手首Ｔの所定箇所に載置した状態で、台座部１０の第一開口部１１および第二開口部１２に挿通されたベルト本体部２１を手首Ｔに巻回させて、ベルト本体部２１の端部２１ｂをリング部４１に挿通させる。
【００４０】
次いで、図３（ｂ）および図４（ｂ）に示すように、ベルト本体部２１の端部２１ｂを、リング部４１を支点として折り返して面ファスナーカバー部２５側に引き絞り、対となる第一面ファスナー部２２と第三面ファスナー部２６とを面着係合させる。
【００４１】
次いで、図３（ｃ）および図４（ｃ）に示すように、面ファスナーカバー部２５の内面側に設けられている第四面ファスナー部２７とベルト本体部２１の表面側に設けられている第二面ファスナー部２３とを面着係合させる。
【００４２】
つまり、本実施形態にかかるカメラ装着具１によれば、ベルト本体部２１を手首Ｔに巻回させた後、ベルト本体部２１の端部２１ｂの表面側および裏面側に設けられた第一面ファスナー部２２および第二面ファスナー部２３が、第三面ファスナー部２６および第四面ファスナー部２７によって挟み込まれるように面着係合される。したがって、本実施形態によれば、カメラ装着具１は強固に使用者の手首Ｔに保持・固定されることとなる。
【００４３】
ところで、カメラ装着具１に対するカメラＣの取り付け方法等については、詳細な説明を省略するが、上述したように、必要な条件（カメラＣの種類や固定角度等）に応じて、適切な厚さや枚数のスペーサ３４を介在させ、取付ねじ部３２ＢにカメラＣの底面部に設けられた雌ねじ部（図示省略）とを螺合させることにより、カメラＣはカメラ装着具１（を成す回動部３２）に取り付けられる。
【００４４】
次に、図５を用いて、本実施形態にかかるカメラ装着具１を使用者の手首Ｔに装着した後のカメラ装着具１の使用方法等について説明する。ここで、図５は、上述したように、本実施形態にかかるカメラ装着具１を手首に装着した状態（使用状態）の種々の使用態様の概略斜視図を示したものである。
【００４５】
図５（ａ）はカメラＣを起こした状態の概略斜視図（図１と同様）を示したものである。つまり、通常の写真撮影時は、この図５（ａ）の状態が基本状態となる。台座接続部３１に対して回動部３２を回動させて、カメラＣをこの図５（ａ）の状態とした後、回動調整部３３を締め付けることにより、カメラＣの起立状態が強固に維持されることとなる。
【００４６】
図５（ｂ）は回動部３２を回動させてカメラＣを使用者の腕側に沿わせた状態の概略斜視図を示したものである。つまり、写真撮影等を行わないときには、この図５（ｂ）のように回動部３２を台座部１０と略平行として、カメラＣを収納した状態が基本状態となる。この場合も、台座接続部３１に対して回動部３２を回動させて、カメラＣをこの図５（ｂ）の状態とした後、回動調整部３３を締め付けることにより、カメラＣの折り畳み状態が強固に維持されることとなる。
【００４７】
図５（ｃ）は回動部を回動させてカメラを図５（ｂ）の状態から４５度程度起こした状態の概略斜視図を示したものである。これは特に４５度に限定されるものではなく、一例として４５度の場合を示している。つまり、本実施形態においては、回動部３２の回動状態および回動調整部３３の締め付け状態を調整することによって、任意の角度でカメラＣを保持・固定することができる。このような構成によれば、使用者の使用状況（撮影時および非撮影時）に応じて、カメラＣの固定角度を調整することができる。
【００４８】
図５（ｄ）はカメラ本体を回動させてカメラＣを横に向けた状態を示したものである。本実施形態によれば、スペーサ３４上でカメラＣを動かすだけで、その向きを調整することが可能となる。この図５（ｄ）のようにカメラＣを横に向けた状態は、腕を曲げてカメラＣを使用者の身体に近づけて撮影等するときに便利である。
【００４９】
本実施形態にかかるカメラ装着具１は、以上のように構成され、図３〜図５に示すように装着して使用可能である。そして、その構成および使用方法等に基づき、種々の作用効果を発揮する。以下、図１〜図５の記載に基づき、本実施形態にかかるカメラ装着具１の作用効果等を説明する。
【００５０】
本実施形態にかかるカメラ装着具１は、使用者の身体の一部にカメラＣを装着可能とするカメラ装着具あであって、カメラＣを固定して取り付けるカメラ取付部３０と、カメラ取付部３０が固着された台座部１０と、台座部１０に設けられたベルト部２０とを備え、カメラ取付部３０が、台座部１０に固着された台座接続部３１と、台座接続部３１と回動可能に設けられた回動部３２と、台座接続部３１に対する回動部３２の回動状態を調整する回動調整部３３とを有し、ベルト部２０には、対となる面ファスナー部（対となる第一面ファスナー部２２および第三面ファスナー部２６、対となる第二面ファスナー部２３および第四面ファスナー部２７）が設けられており、対となる面ファスナー部２２，２３，２６，２７は、ベルト部２０を台座部１０に挿通させた状態で使用者の身体の一部に巻回させた後、それぞれ面着係合可能となる位置に設けられていることを特徴としている。
【００５１】
このような構成によれば、カメラＣをカメラ取付部３０に取り付けた状態で、台座部１０およびベルト部２０を介して（ベルト部２０を手首Ｔに巻回させて）、使用者の手首ＴにカメラＣを装着することが可能であるため、使用者の両手を使用することなくカメラＣを適切に保持し、使用者のハンドリングの自由度を高めることができる。
【００５２】
また、このような構成によれば、カメラ取付部３０が、台座部１０に固着された台座接続部３１と、台座接続部３１と回動可能に設けられた回動部３２と、台座接続部３１に対する回動部３２の回動状態を調整する回動調整部３３とを有するため、カメラＣを取り付けたカメラ装着具１を使用者が装着した後、使用者のハンドリングの自由度を高めた状態で、カメラのＣ撮影角度等を任意に調整することができる。
【００５３】
さらに、回動部３２を回動させることによって、使用者の身体に沿うような位置にカメラ位置を調整可能であるため、他の作業等を行う際にカメラＣが邪魔にならない。
また、回動調整部３３は、調整ねじ部３３Ｂを有する構成であるため、この調整ねじ部３３Ｂの締め具合によって、カメラＣの固定状態（保持状態）を任意に調整することができる。つまり、例えば、カメラＣを装着した状態で、水泳等を行う必要がある場合には、調整ねじ部３３Ｂをしっかりと締め付けることによって、カメラＣを強固に固定することができる。
【００５４】
また、このような構成によれば、ベルト部２０には、対となる面ファスナー部（対となる第一面ファスナー部２２および第三面ファスナー部２６、対となる第二面ファスナー部２３および第四面ファスナー部２７）が設けられており、これらの対に設けられた面ファスナー部２２，２３，２６，２７は、ベルト部２０を台座部１０に挿通させた状態で使用者の手首Ｔに巻回させた後、それぞれ面着係合可能となる位置に設けられているため、使用者のハンドリングの自由度を高めた状態で、カメラ装着具Ｃを使用者の手首Ｔに適切に保持することができる。
【００５５】
さらに、本実施形態にかかるカメラ装着具１は、使用者の身体の一部にカメラＣを装着可能とするカメラ装着具あであって、カメラＣを固定して取り付けるカメラ取付部３０と、カメラ取付部３０が固着された台座部１０と、台座部１０に設けられたベルト部２０とを備え、カメラ取付部３０が、台座部１０に固着された台座接続部３１と、台座接続部３１と回動可能に設けられた回動部３２と、台座接続部３１に対する回動部３２の回動状態を調整する回動調整部３３とを有し、ベルト部２０には、対となる面ファスナー部（対となる第一面ファスナー部２２および第三面ファスナー部２６、対となる第二面ファスナー部２３および第四面ファスナー部２７）が設けられており、対となる面ファスナー部２２，２３，２６，２７は、ベルト部２０を台座部１０に挿通させた状態で使用者の身体の一部に巻回させた後、それぞれ面着係合可能となる位置に設けられており、ベルト部２０の端部２１ｂの表面側および裏面側に設けられた面ファスナー部２２，２３が、それぞれ対となる面ファスナー部２６，２７によって挟持された状態で面着係合されることを特徴としている。
【００５６】
より具体的には、例えば、第三面ファスナー部２６がループ部として機能し、第四面ファスナー部２７がフック部として機能し、第三面ファスナー部２６と対になる第一面ファスナー部２２がフック部として機能し、第四面ファスナー部２７と対になる第二面ファスナー部２３がループ部として機能する構成となっている（対となっている面ファスナー部の構造が入れ替わる場合も含む。）。
【００５７】
このような構成によれば、上述した種々の作用効果に加えて、ベルト部２０の端部２１ｂの表面側および裏面側に設けられた面ファスナー部２２，２３が、それぞれ対となる面ファスナー部２６，２７によって挟持された状態で面着係合されるため、より強固に面ファスナー部の面着係合状態が維持されることとなる。その結果、カメラ装着具１をより適切に使用者の身体の一部（手首Ｔ）に保持・固定することができる。
【００５８】
また、このような構成によれば、カメラ装着具１を使用しない場合には、前記第三面ファスナー部２６と第四面ファスナー部２７とを面着係合させることができるため、面ファスナーカバー部２５が邪魔にならない。さらに、このような構成によれば、カメラ装着具１を装着する際、対向する面ファスナー部が常に異なる構造（例えば、ループ部に対してはフック部）であるため、それぞれの面ファスナー部２２，２３，２６，２７を適切に面着係合させることができる。
【００５９】
さらに、このような構成によれば、使用方法が単純であり、回動部３２を折り畳むことによって、装着したカメラＣを倒して容易に収納することができる。また、構造が単純であるために、メンテナンス等を容易に行うことができる。さらに、このような構成によれば、写真撮影時等に、自由にカメラＣの方向や角度を調整して固定することができる。また、このような構成によれば、直接肌に接するような使用方法にも、ウエットスーツやスキーウエアの上から（すなわち、衣服の上から）の使用方法にも、対応可能である。さらに、構造および使用方法が簡単であるため、着脱が容易であり、子供からお年寄りまでの幅広い年齢層に対応可能である。また、このような構成によれば、カメラＣに元々設けられている三脚等に固定するための「雌ねじ部」を利用するため、種々のカメラやビデオカメラに対応可能であり、メーカーや型式等に限定されない。さらに、このような構成によれば、スポーツ（マリンスポーツ、ランニング、釣り等）を行いながらの撮影が可能となるため、スポーツ中の臨場感あふれる写真や動画を撮ることができる。また、このような構成によれば、三脚のように場所を取らず、持ち運びに便利である。さらに、このような構成によれば、カメラＣを装着したままで、種々の作業を行うことができる。また、このような構成によれば、カメラＣをカメラ装着具１に取り付けた状態で鞄等に収納してもかさばらない。さらに、このような構成によれば、カメラＣは、落下防止紐部５０を介して台座部１０に連結されているため、仮に取付ねじ部３２Ｂが破損してもカメラＣの落下を防止することができる。
【００６０】
以上のことから、本実施形態によれば、カメラＣを適切に保持しつつ、カメラＣの操作性および写真撮影時における使用者のハンドリングの自由度を高めることが可能であると共に、写真撮影の合間あるいは写真撮影時以外の他の作業を行っている場合であっても緊急時の撮影に対応可能である、カメラ装着具１を得ることができる。
【００６１】
＜その他の実施例等＞
なお、本考案は、上記実施形態に限定されるものではなく、本考案の趣旨に適合し得る範囲で必要に応じて種々の変更を加えて実施することも可能であり、それらはいずれも本考案の技術的範囲に含まれる。
【００６２】
上記実施形態においては、カメラ装着具１を使用者の手首Ｔに装着する場合について説明したが、本考案はこの構成に限定されない。つまり、本考案にかかるカメラ装着具はベルト部の長さ等の構成を変更することによって、使用者の身体のあらゆるところに装着可能である。例えば、図６に示すような箇所に装着可能である。
【００６３】
ここで、図６は、本考案の他の実施形態にかかるカメラ装着具を装着した状態（使用状態）の概略図を示したものであって、図６（ａ）は第二実施形態にかかるカメラ装着具１０１を使用者の腰Ｋに装着した状態の概略図を示し、図６（ｂ）は第三実施形態にかかるカメラ装着具２０１を使用者の太腿Ｆに装着した状態の概略図を示している。
【００６４】
この第二実施形態および第三実施形態にかかるカメラ装着具１０１，２０１は、基本的な構造は、先に説明した第一実施形態にかかるカメラ装着具１と同様であり、それぞれのカメラ装着具１０１，２０１を構成するベルト部１２０，２２０の長さのみが異なる。すなわち、第二実施形態および第三実施形態にかかるカメラ装着具１０１，２０１は、装着箇所に応じた長さのベルト部１２０，２２０を用いて構成されている。
【００６５】
この図６に示した他の実施形態にかかるカメラ装着具１０１，２０１は、上記のとおり、基本的に第一実施形態と同様の構成を有するため、当然に第一実施形態にて説明した種々の作用効果を得ることができる。
【００６６】
また、本考案にかかるカメラ装着具の装着箇所は、手首Ｔ、腰Ｋ、および太腿Ｆに限定されず、足首等に装着することも可能である。
【００６７】
さらに、上述した各実施形態においては、コンパクトカメラを装着する場合について説明したが、本考案はこれに限定されず、ビデオカメラ等を装着する際に用いることも可能である。
【産業上の利用可能性】
【００６８】
先に述べたように、従来技術には、カメラを使用する場合、少なくとも使用者の片手は、カメラの把持部等を把持するため、その自由度が失われるという問題や、写真撮影以外の他の作業を行うときの作業性が悪く、緊急時の撮影に対応できないという問題等があった。
【００６９】
これに対し、本考案によれば、上述した種々の問題を解決することが可能である、様々な構成および機能的な特徴を有したカメラ装着具を提供することができる。すなわち、本考案によれば、図１〜図６に示した構成を有することにより、カメラを適切に保持しつつ、カメラの操作性および写真撮影時における使用者のハンドリングの自由度を高めることが可能であると共に、写真撮影の合間あるいは写真撮影時以外の他の作業を行っている場合であっても緊急時の撮影に対応可能である、カメラ装着具を得ることができる。
【符号の説明】
【００７０】
１…カメラ装着具（第一実施形態）
１０…台座部
１１…第一開口部
１２…第二開口部
１３…第三開口部
２０…ベルト部
２１…ベルト本体部
２１ａ，２１ｂ…ベルト端部
２２…第一面ファスナー部
２３…第二面ファスナー部
２５…面ファスナーカバー部
２６…第三面ファスナー部
２７…第四面ファスナー部
３０…カメラ取付部
３１…台座接続部
３１Ａ…接続本体部
３１Ｂ…回動係合部
３２…回動部
３２Ａ…回動本体部
３２Ｂ…取付ねじ部
３３…回動調整部
３３Ａ…調整つまみ部
３３Ｂ…調整ねじ部
３４…スペーサ
４１…リング部
５０…落下防止紐部
５１…紐本体部
５２…台座側紐部
５３…カメラ側紐部
１０１…カメラ装着具（第二実施形態）
１２０…ベルト部
２０１…カメラ装着具（第三実施形態）
２２０…ベルト部
【図１】
0003175556.tif 000003
【図２】
0003175556.tif 000004
【図３】
0003175556.tif 000005
【図４】
0003175556.tif 000006
【図５】
0003175556.tif 000007
【図６】
0003175556.tif 000008